(57)【要約】【課題】カードの紛失を防止し、しかもカードの取り出しを容易に行なえるようにした手帳カバーを提供する。【解決手段】カバー本体１の内面両側に手帳２の表裏の紙片３，４を差し込むために袋部５，６を形成し、一方の袋部５を形成する合成樹脂シート７には切り込みなどは形成されておらず、他方の袋部６を形成する合成樹脂シート８には横長の長円形の孔１０を形成するための切り抜き可能な切り抜き部９が形成されている。【選択図】    図４
2005088380.tif 000002
【特許請求の範囲】
【請求項１】
カバー本体の内面両側に手帳の表裏の紙片を差し込むために袋部を形成し、少なくとも何れか一方の袋部を形成する合成樹脂シートには横長の孔を形成するための切り抜き可能な切り抜き部が形成されていることを特徴とする手帳カバー。
【請求項２】
カバー本体の内面両側に手帳の表裏の紙片を差し込むために袋部を形成し、少なくとも何れか一方の袋部を形成する合成樹脂シートには横長の孔が形成されていることを特徴とする手帳カバー。
【請求項３】
カバー本体の表裏の少なくとも何れか一方の外面にカード挿入用の袋部を形成し、この袋部を形成する合成樹脂シートには横長の孔を形成するための切り抜き可能な切り抜き部が形成されていることを特徴とする手帳カバー。
【請求項４】
カバー本体の表裏の少なくとも何れか一方の外面にカード挿入用の袋部を形成し、この袋部を形成する合成樹脂シートには横長の孔が形成されていることを特徴とする手帳カバー。
【発明の詳細な説明】
【技術分野】
【０００１】
本発明は、手帳カバーに関するものである。
【背景技術】
【０００２】
従来の手帳カバーとして例えば特許文献１に開示されているものが知られている。この特許文献１に開示されている手帳カバーは、カバー本体の内面両側に手帳の表裏の紙片を差し込むための袋部を備え、一方の袋部には切り込みは形成されておらず、他方の袋部にはカードの挿入支持用の切り込みやペンを挿入支持するホルダー片が形成されている。
【特許文献１】意匠登録第１０７４６０４号公報
【発明の開示】
【発明が解決しようとする課題】
【０００３】
前記特許文献１に開示されている手帳カバーでは、カードを切り込みより袋部内に半分程度挿入しているものの、残りの半分が挿入されておらず、気がつかないままにカードが切り込みより抜けてしまい、紛失するという問題があった。そこで、切り込みのない一方の袋部にカードを挿入することも考えられるが、その場合はカードの取り出しがしにくいという問題があった。
【０００４】
本発明はこのような課題を解決するもので、カードの紛失を防止し、しかもカードの取り出しを容易に行なえるようにした手帳カバーを提供することを目的とするものである。
【課題を解決するための手段】
【０００５】
本発明の請求項１に記載の手帳カバーは、カバー本体の内面両側に手帳の表裏の紙片を差し込むために袋部を形成し、少なくとも何れか一方の袋部にカードを挿入可能とし、この少なくとも何れか一方の袋部を形成する合成樹脂シートには横長の孔を形成するための切り抜き可能な切り抜き部が形成されていることを特徴とする。
【０００６】
請求項２に記載の手帳カバーは、カバー本体の内面両側に手帳の表裏の紙片を差し込むために袋部を形成し、少なくとも何れか一方の袋部にカードを挿入可能とし、この少なくとも何れか一方の袋部を形成する合成樹脂シートには横長の孔が形成されていることを特徴とする。
【０００７】
請求項３に記載の手帳カバーは、カバー本体の表裏の少なくとも何れか一方の外面にカード挿入用の袋部を形成し、この袋部を形成する合成樹脂シートには横長の孔を形成するための切り抜き可能な切り抜き部が形成されていることを特徴とする。
【０００８】
請求項４に記載の手帳カバーは、カバー本体の表裏の少なくとも何れか一方の外面にカード挿入用の袋部を形成し、この袋部を形成する合成樹脂シートには横長の孔が形成されていることを特徴とする。
【発明の効果】
【０００９】
以上のように、本発明の手帳カバーは、使用する人が手帳と一緒に通勤、通学などの定期などのカードを挟んでおきたい場合は、袋部にカードを挿入しておけば良く、カードが紛失するのを防止することができる。そして、カードを取り出したいときは、前記袋部を形成する合成樹脂シートに形成されている横長の孔より指でカードに触れてカードを袋部の外に押し出すことにより簡単に取り出すことができる。
【発明を実施するための最良の形態】
【００１０】
以下、本発明の一実施の形態を、図１〜図５に基づいて具体的に説明する。
図において、１は合成樹脂シートあるいは人工皮革などからなるカバー本体で、このカバー本体１の内面両側に手帳２の表裏の紙片３，４を差し込むために透明もしくは半透明な合成樹脂シートを溶着などにより装着して互いに向き合う開口部５ａ，６ａを有する袋部５，６を形成し、一方の袋部５を形成する合成樹脂シート７には切り込みなどは形成されておらず、他方の袋部６を形成する合成樹脂シート８には中央部において簡単に切り抜き可能な切り抜き部９が形成されている。この切り抜き部９は横長の長円形を呈し、使用する人が必要なときに切り抜くことにより、合成樹脂シート８に横長の長円形の孔１０が形成されるようになっている。切り抜き部９を簡単に切り抜き可能とするために本実施の形態では長円の周囲に沿って肉厚を薄くし、長円で囲まれる部分を指で切り抜くことができるようになっている。
【００１１】
なお、この切り抜き部９は使用する人が必要なときに切り抜くものであるが、合成樹脂シート８に始めから横長の長円形の孔を形成しておいても良い。
上記構成において、手帳２に手帳カバーを装着するときは、一方の袋部５に開口部５ａより手帳２の表側の紙片３を差し込むとともに、他方の袋部６に開口部６ａより手帳２の裏側の紙片４を差し込めば良い。そして、使用する人が手帳２と一緒に通勤、通学などの定期などのカード１１を挟んでおきたい場合は、前記他方の袋部６の合成樹脂シート８と手帳２の裏側の紙片４との間にカード１１を挿入しておけば良い。前記他方の袋部６からカード１１を取り出したいときは、前記合成樹脂シート８に形成されている前記横長の長円形の孔１０より指でカード１１に触れてカード１１を他方の袋部６の外に押し出せば良い。
【００１２】
ところで、上記した実施の形態では他方の袋部６側にカード１１を挿入して、横長の長円形の孔１０より指でカード１１に触れて簡単にカード１１を取り出せるようになっているが、一方の袋部５を形成する合成樹脂シート７にも横長の長円形の孔を形成して、この一方の袋部５側にもカードを挿入するようにしても良い。
【００１３】
また、上記した実施の形態ではカバー本体１の内面に形成した袋部６にカード１１を挿入して、横長の長円形の孔１０より指でカード１１に触れて簡単にカード１１を取り出せるようになっているが、カバー本体１の外面に透明もしくは半透明な合成樹脂シートを溶着などにより装着してカード挿入用の袋部を形成するとともに、この袋部に上記した実施の形態と同様に横長の長円形の孔を形成することによって、この横長の長円形の孔より指でカードに触れて簡単にカードを簡単に取り出すこともできる。この場合、カバー本体１の表裏の何れか一方の外面に袋部を形成しても良く、あるいはカバー本体１の表裏の両外面に袋部を形成しても良い。
【図面の簡単な説明】
【００１４】
【図１】本発明の一実施の形態における手帳カバーを開いた状態を示す斜視図である。
【図２】同手帳カバーを手帳に装着し開いた状態を示す斜視図である。
【図３】同手帳に装着した手帳カバーの他方の袋部の合成樹脂シートに横長の長円形の孔を形成した状態を示す斜視図である。
【図４】同手帳に装着した手帳カバーの他方の袋部に定期などのカードを挿入した状態を示す斜視図である。
【図５】同手帳に装着した手帳カバーの他方の袋部から定期などのカードを取り出す状態を示す斜視図である。
【符号の説明】
【００１５】
１        カバー本体
２        手帳
３，４    紙片
５，６    袋部
７，８    合成樹脂シート
９        切り抜き部
１０        孔
１１        カード
【図１】
2005088380.tif 000003
【図２】
2005088380.tif 000004
【図３】
2005088380.tif 000005
【図４】
2005088380.tif 000006
【図５】
2005088380.tif 000007